(57)【要約】【課題】携帯電話機の所在を好適にユーザに報知することができる、新たな携帯電話機とヘッドマントディスプレイとが通信可能に接続された通信システム、およびこの通信システムに含まれるヘッドマントディスプレイを提供することを目的とする。【解決手段】携帯電話機と、ヘッドマウントディスプレイとが通信可能に接続された通信システムであって、携帯電話機は、第１人体近傍通信手段を備え、ヘッドマウントディスプレイは、第２人体近傍通信手段を備える。ヘッドマウントディスプレイで、第１人体近傍通信手段との間で第２人体近傍通信手段を介した通信が実行できると判断された場合（Ｓ２０６：Ｙｅｓ）、携帯電話機がユーザの体表面に近接した位置にあることを示す第１種所在画像を提示することとした（Ｓ２０７）。【選択図】図４
2011166631.tif 000002
【特許請求の範囲】
【請求項１】
携帯電話通信網を介した通信を実行可能な携帯電話機と、ユーザの頭部に装着されるヘッドマウントディスプレイとが通信可能に接続された通信システムであって、
前記携帯電話機は、
前記ユーザの体表面近傍を介した人体近傍通信を実行する第１人体近傍通信手段を備え、
前記ヘッドマウントディスプレイは、
所定の画像を提示する画像提示手段と、
前記人体近傍通信を実行する第２人体近傍通信手段と、
前記第１人体近傍通信手段との間で前記第２人体近傍通信手段を介した前記人体近傍通信が実行できるかについて判断する人体近傍通信判断手段と、
前記人体近傍通信判断手段によって前記第１人体近傍通信手段との間で前記第２人体近傍通信手段を介した前記人体近傍通信が実行できると判断された場合、前記携帯電話機が前記ユーザの体表面に近接した位置にあることを示す第１種所在画像が、前記画像提示手段から提示されるように制御する画像提示制御手段とを備えることを特徴とする通信システム。
【請求項２】
前記携帯電話機は、さらに、
前記人体近傍通信と比較し通信距離の長い無線通信を実行する第１無線通信手段を備え、
前記ヘッドマウントディスプレイは、さらに、
前記無線通信を実行する第２無線通信手段を備え、
前記画像提示制御手段は、前記人体近傍通信判断手段によって前記第１人体近傍通信手段との間で前記第２人体近傍通信手段を介した前記人体近傍通信が実行できないと判断された状態で、前記第２無線通信手段を介して前記第１無線通信手段と前記無線通信できる場合、前記携帯電話機が前記ユーザの体表面に近接した位置にないことを示す第２種所在画像が、前記画像提示手段から提示されるように制御することを特徴とする請求項１に記載の通信システム。
【請求項３】
前記ヘッドマウントディスプレイは、さらに、
前記第１無線通信手段との間の前記第２無線通信手段を介した前記無線通信における電波強度を確認する確認手段を備え、
前記画像提示制御手段は、前記人体近傍通信判断手段によって前記第１人体近傍通信手段との間で前記第２人体近傍通信手段を介した前記人体近傍通信が実行できないと判断された状態で、前記第２無線通信手段を介して前記第１無線通信手段と前記無線通信できる場合、前記携帯電話機が前記ユーザの体表面に近接した位置にないことを示す情報として、前記確認手段によって確認された電波強度に応じた範囲内に前記携帯電話機があることを示す情報を含む前記第２種所在画像が、前記画像提示手段から提示されるように制御することを特徴とする請求項２に記載の通信システム。
【請求項４】
前記携帯電話機は、さらに、
前記携帯電話機が存在している状態に関する少なくとも１つの状態情報を検出する検出手段と、
前記検出手段によって検出された状態情報を、前記ヘッドマウントディスプレイに通知する状態情報通知手段とを備え、
前記画像提示制御手段は、前記人体近傍通信判断手段によって前記第１人体近傍通信手段との間で前記第２人体近傍通信手段を介した前記人体近傍通信が実行できないと判断された状態で、前記第２無線通信手段を介して前記第１無線通信手段と前記無線通信できる場合、前記状態情報通知手段から通知された少なくとも１つの前記状態情報に応じた情報を含む前記第２種所在画像が、前記画像提示手段から提示されるように制御することを特徴とする請求項２または請求項３に記載の通信システム。
【請求項５】
前記検出手段は、前記状態情報として、少なくとも前記携帯電話機が存在している場所の明るさを検出することを特徴とする請求項４に記載の通信システム。
【請求項６】
前記検出手段は、前記状態情報として、少なくとも前記携帯電話機が変位していることを検出することを特徴とする請求項４または請求項５に記載の通信システム。
【請求項７】
前記携帯電話機は、さらに、
前記携帯電話機に着信があったことを示す着信情報を、前記ヘッドマウントディスプレイに通知する着信情報通知手段を備え、
前記人体近傍通信判断手段は、前記着信情報通知手段から前記着信情報を受信した場合、前記第１人体近傍通信手段との間で前記第２人体近傍通信手段を介した前記人体近傍通信が実行できるかについて判断することを特徴とする請求項１から請求項６のいずれか１項に記載の通信システム。
【請求項８】
携帯電話通信網を介した通信と、ユーザの体表面近傍を介した人体近傍通信とが実行できる携帯電話機と通信可能な、前記ユーザの頭部に装着されるヘッドマウントディスプレイであって、
所定の画像を提示する画像提示手段と、
前記人体近傍通信を実行する第２人体近傍通信手段と、
前記携帯電話機との間で前記第２人体近傍通信手段を介した前記人体近傍通信が実行できるかについて判断する人体近傍通信判断手段と、
前記人体近傍通信判断手段によって前記携帯電話機との間で前記第２人体近傍通信手段を介した前記人体近傍通信が実行できると判断された場合、前記携帯電話機が前記ユーザの体表面に近接した位置にあることを示す第１種所在画像が、前記画像提示手段から提示されるように制御する画像提示制御手段とを備えることを特徴とするヘッドマウントディスプレイ。
【請求項９】
前記携帯電話機は、前記人体近傍通信と比較し通信距離の長い無線通信を実行でき、
前記ヘッドマウントディスプレイは、さらに、
前記無線通信を実行する第２無線通信手段を備え、
前記画像提示制御手段は、前記人体近傍通信判断手段によって前記携帯電話機との間で前記第２人体近傍通信手段を介した前記人体近傍通信が実行できないと判断された状態で、前記第２無線通信手段を介して前記携帯電話機と前記無線通信できる場合、前記携帯電話機が前記ユーザの体表面に近接した位置にないことを示す第２種所在画像が、前記画像提示手段から提示されるように制御することを特徴とする請求項８に記載のヘッドマウントディスプレイ。
【請求項１０】
前記ヘッドマウントディスプレイは、さらに、
前記携帯電話機との間の前記第２無線通信手段を介した前記無線通信における電波強度を確認する確認手段を備え、
前記画像提示制御手段は、前記人体近傍通信判断手段によって前記携帯電話機との間で前記第２人体近傍通信手段を介した前記人体近傍通信が実行できないと判断された状態で、前記第２無線通信手段を介して前記携帯電話機と前記無線通信できる場合、前記携帯電話機が前記ユーザの体表面に近接した位置にないことを示す情報として、前記確認手段によって確認された電波強度に応じた範囲内に前記携帯電話機があることを示す情報を含む前記第２種所在画像が、前記画像提示手段から提示されるように制御することを特徴とする請求項９に記載のヘッドマウントディスプレイ。
【請求項１１】
前記画像提示制御手段は、前記人体近傍通信判断手段によって前記携帯電話機との間で前記第２人体近傍通信手段を介した前記人体近傍通信が実行できないと判断された状態で、前記第２無線通信手段を介して前記携帯電話機と前記無線通信できる場合、前記携帯電話機で検出され、前記携帯電話機から通知された前記携帯電話機が存在している状態に関する少なくとも１つの状態情報に応じた情報を含む前記第２種所在画像が、前記画像提示手段から提示されるように制御することを特徴とする請求項９または請求項１０に記載のヘッドマウントディスプレイ。
【請求項１２】
前記人体近傍通信判断手段は、前記携帯電話機に着信があったことを示す着信情報を前記携帯電話機から受信した場合、前記携帯電話機との間で前記第２人体近傍通信手段を介した前記人体近傍通信が実行できるかについて判断することを特徴とする請求項８から請求項１１のいずれか１項に記載のヘッドマウントディスプレイ。
【発明の詳細な説明】
【技術分野】
【０００１】
本発明は、携帯電話通信網を介した通信を実行可能な携帯電話機と、ユーザの頭部に装着されるヘッドマウントディスプレイとが通信可能に接続された通信システム、およびこの通信システムに含まれるヘッドマウントディスプレイに関するものである。
【背景技術】
【０００２】
情報呈示装置に関し、特に、携帯電話を使用する使用者へのコンテンツの呈示状態を制御する装置に関する提案がなされている（例えば、特許文献１参照）。具体的に特許文献１には、携帯電話機と、情報呈示部と、出力制御部とを備えている情報呈示装置が開示されている。ここで、情報呈示部は、使用者に対してコンテンツを呈示する構成となっている。出力制御部は、情報呈示部によるコンテンツの呈示状態を制御する構成となっている。さらに、出力制御部は、携帯電話機への着信後、携帯電話機への着信に基づく情報を、情報呈示部によって使用者に対して呈示させる構成となっている。例えば、情報呈示部は、携帯電話機による着信音あるいは通話音を、情報呈示部から使用者に対して呈示する。特許文献１には、情報呈示装置が、さらにコンテンツ再生部を備えている構成が開示されている。コンテンツ再生部は、記録されたコンテンツを再生して、情報呈示部に送り、この情報呈示部によりコンテンツを使用者に呈示する構成となっている。そして、出力制御部は、携帯電話機への着信後、コンテンツ再生部におけるコンテンツの再生を停止させる。なお、特許文献１には、出力制御部、コンテンツ再生部などの機能は、ヘッドマウントディスプレイ（ＨＭＤ）本体により実現することができ、ＨＭＤ本体は、映像呈示部（例えばＲＳＤまたは液晶表示デバイスを用いたもの）と組み合わされて一つのＨＭＤを構成することができるとされている。
【０００３】
また、人体近傍通信と称される技術が提案されている。例えば、２つの人体の各々に装着したデータ通信装置間での直接的なデータ通信を可能にするデータ通信システムなどに関する技術が提案されている（例えば、特許文献２参照）。具体的に特許文献２には、１つの基準電極と、少なくとも送信電極及び変調部を有してなり、第１人体に装着する第１データ通信装置と、１つの基準電極と、少なくとも受信電極及び復調部を有してなり、第２人体に装着する第２データ通信装置とを備えてなり、第１人体と第２人体とが接触することで、第１データ通信装置から第２データ通信装置へ通信データが送信される技術が開示されている。なお、特許文献２に関連した技術も提案されている（例えば、特許文献３参照）。
【先行技術文献】
【特許文献】
【０００４】
【特許文献１】特開２００８−１６７３７３号公報
【特許文献２】特開２００２−２４６９８７号公報
【特許文献３】特開平１０−２２９３５７号公報
【発明の概要】
【発明が解決しようとする課題】
【０００５】
ところで、近年、携帯電話機が広く普及している。携帯電話機は、固定電話機とは異なり、一定の場所に設置され利用されるものではない。携帯電話機は、例えばユーザが着用した衣服のポケットの中に入れられ、またカバンなどのようなものの中に入れられて持ち運ばれる。また、目的地に到着し、また外出先から帰宅などした場合には、テーブルなどの上に置かれ、また机の引出しなどの中に収納される。このような状況において、ユーザは、携帯電話機の所在がどこであるかを直ぐに思い出せない場合がある。
【０００６】
本発明は、携帯電話機の所在を好適にユーザに報知することができる、新たな携帯電話機とヘッドマントディスプレイとが通信可能に接続された通信システム、およびこの通信システムに含まれるヘッドマントディスプレイを提供することを目的とする。
【課題を解決するための手段】
【０００７】
上記従来の課題に鑑みなされた本発明の一側面は、携帯電話通信網を介した通信を実行可能な携帯電話機と、ユーザの頭部に装着されるヘッドマウントディスプレイとが通信可能に接続された通信システムであって、前記携帯電話機は、前記ユーザの体表面近傍を介した人体近傍通信を実行する第１人体近傍通信手段を備え、前記ヘッドマウントディスプレイは、所定の画像を提示する画像提示手段と、前記人体近傍通信を実行する第２人体近傍通信手段と、前記第１人体近傍通信手段との間で前記第２人体近傍通信手段を介した前記人体近傍通信が実行できるかについて判断する人体近傍通信判断手段と、前記人体近傍通信判断手段によって前記第１人体近傍通信手段との間で前記第２人体近傍通信手段を介した前記人体近傍通信が実行できると判断された場合、前記携帯電話機が前記ユーザの体表面に近接した位置にあることを示す第１種所在画像が、前記画像提示手段から提示されるように制御する画像提示制御手段とを備えることを特徴とする通信システムである。
【０００８】
これによれば、携帯電話機がユーザの体表面に近接した位置にあることを示す第１種所在画像をユーザに提示することができる。なお、「前記携帯電話機が前記ユーザの体表面に近接した位置にあることを示す」とは、「携帯電話機がヘッドマウントディスプレイと人体近傍通信を実行可能な範囲にあることを示す」を意味する。
【０００９】
この通信システムは、次のような構成とすることもできる。すなわち、前記携帯電話機は、さらに、前記人体近傍通信と比較し通信距離の長い無線通信を実行する第１無線通信手段を備え、前記ヘッドマウントディスプレイは、さらに、前記無線通信を実行する第２無線通信手段を備え、前記画像提示制御手段は、前記人体近傍通信判断手段によって前記第１人体近傍通信手段との間で前記第２人体近傍通信手段を介した前記人体近傍通信が実行できないと判断された状態で、前記第２無線通信手段を介して前記第１無線通信手段と前記無線通信できる場合、前記携帯電話機が前記ユーザの体表面に近接した位置にないことを示す第２種所在画像が、前記画像提示手段から提示されるように制御することを特徴としてもよい。これによれば、携帯電話機がユーザの体表面に近接した位置にない場合についても、携帯電話機がユーザの体表面に近接した位置にないことを示す第２種所在画像をユーザに提示することができる。なお、「前記携帯電話機が前記ユーザの体表面に近接した位置にないことを示す」とは、「携帯電話機がヘッドマウントディスプレイと人体近傍通信を実行可能な範囲にないことを示す」を意味する。
【００１０】
また、前記ヘッドマウントディスプレイは、さらに、前記第１無線通信手段との間の前記第２無線通信手段を介した前記無線通信における電波強度を確認する確認手段を備え、前記画像提示制御手段は、前記人体近傍通信判断手段によって前記第１人体近傍通信手段との間で前記第２人体近傍通信手段を介した前記人体近傍通信が実行できないと判断された状態で、前記第２無線通信手段を介して前記第１無線通信手段と前記無線通信できる場合、前記携帯電話機が前記ユーザの体表面に近接した位置にないことを示す情報として、前記確認手段によって確認された電波強度に応じた範囲内に前記携帯電話機があることを示す情報を含む前記第２種所在画像が、前記画像提示手段から提示されるように制御することを特徴としてもよい。
【００１１】
これによれば、ユーザの体表面に近接した位置ではなく、確認された電波強度に応じた範囲内に携帯電話機があることを示す第２種所在画像をユーザに提示することができる。なお、ユーザは、携帯電話機が電波強度に応じた所定の距離離れた場所にあることを知ることができる。
【００１２】
また、前記携帯電話機は、さらに、前記携帯電話機が存在している状態に関する少なくとも１つの状態情報を検出する検出手段と、前記検出手段によって検出された状態情報を、前記ヘッドマウントディスプレイに通知する状態情報通知手段とを備え、前記画像提示制御手段は、前記人体近傍通信判断手段によって前記第１人体近傍通信手段との間で前記第２人体近傍通信手段を介した前記人体近傍通信が実行できないと判断された状態で、前記第２無線通信手段を介して前記第１無線通信手段と前記無線通信できる場合、前記状態情報通知手段から通知された少なくとも１つの前記状態情報に応じた情報を含む前記第２種所在画像が、前記画像提示手段から提示されるように制御することを特徴としてもよい。
【００１３】
これによれば、携帯電話機が存在している状態に応じた情報を含む第２種所在画像をユーザに提示することができる。なお、ユーザは、携帯電話機が存在している状態にしたがい、携帯電話機の所在を具体的に知ることができる。
【００１４】
また、前記検出手段は、前記状態情報として、少なくとも前記携帯電話機が存在している場所の明るさを検出することを特徴としてもよい。これによれば、携帯電話機が存在している場所の明るさにしたがった情報を含む第２種所在画像をユーザに提示することができる。
【００１５】
また、前記検出手段は、前記状態情報として、少なくとも前記携帯電話機が変位していることを検出することを特徴としてもよい。これによれば、携帯電話機が変位していることにしたがった情報を含む第２種所在画像をユーザに提示することができる。
【００１６】
また、前記携帯電話機は、さらに、前記携帯電話機に着信があったことを示す着信情報を、前記ヘッドマウントディスプレイに通知する着信情報通知手段を備え、前記人体近傍通信判断手段は、前記着信情報通知手段から前記着信情報を受信した場合、前記第１人体近傍通信手段との間で前記第２人体近傍通信手段を介した前記人体近傍通信が実行できるかについて判断することを特徴としてもよい。これによれば、携帯電話機に着信があった場合に、第１種所在画像をユーザに提示することができる。
【００１７】
本発明の他の側面は、上記いずれかの通信システムにおけるヘッドマウントディスプレイとして特定される。すなわち、本発明の他の側面は、携帯電話通信網を介した通信と、ユーザの体表面近傍を介した人体近傍通信とが実行できる携帯電話機と通信可能な、前記ユーザの頭部に装着されるヘッドマウントディスプレイであって、所定の画像を提示する画像提示手段と、前記人体近傍通信を実行する第２人体近傍通信手段と、前記携帯電話機との間で前記第２人体近傍通信手段を介した前記人体近傍通信が実行できるかについて判断する人体近傍通信判断手段と、前記人体近傍通信判断手段によって前記携帯電話機との間で前記第２人体近傍通信手段を介した前記人体近傍通信が実行できると判断された場合、前記携帯電話機が前記ユーザの体表面に近接した位置にあることを示す第１種所在画像が、前記画像提示手段から提示されるように制御する画像提示制御手段とを備えることを特徴とするヘッドマウントディスプレイである。
【００１８】
また、前記携帯電話機は、前記人体近傍通信と比較し通信距離の長い無線通信を実行でき、前記ヘッドマウントディスプレイは、さらに、前記無線通信を実行する第２無線通信手段を備え、前記画像提示制御手段は、前記人体近傍通信判断手段によって前記携帯電話機との間で前記第２人体近傍通信手段を介した前記人体近傍通信が実行できないと判断された状態で、前記第２無線通信手段を介して前記携帯電話機と前記無線通信できる場合、前記携帯電話機が前記ユーザの体表面に近接した位置にないことを示す第２種所在画像が、前記画像提示手段から提示されるように制御することを特徴としてもよい。
【００１９】
また、前記ヘッドマウントディスプレイは、さらに、前記携帯電話機との間の前記第２無線通信手段を介した前記無線通信における電波強度を確認する確認手段を備え、前記画像提示制御手段は、前記人体近傍通信判断手段によって前記携帯電話機との間で前記第２人体近傍通信手段を介した前記人体近傍通信が実行できないと判断された状態で、前記第２無線通信手段を介して前記携帯電話機と前記無線通信できる場合、前記携帯電話機が前記ユーザの体表面に近接した位置にないことを示す情報として、前記確認手段によって確認された電波強度に応じた範囲内に前記携帯電話機があることを示す情報を含む前記第２種所在画像が、前記画像提示手段から提示されるように制御することを特徴としてもよい。
【００２０】
また、前記画像提示制御手段は、前記人体近傍通信判断手段によって前記携帯電話機との間で前記第２人体近傍通信手段を介した前記人体近傍通信が実行できないと判断された状態で、前記第２無線通信手段を介して前記携帯電話機と前記無線通信できる場合、前記携帯電話機で検出され、前記携帯電話機から通知された前記携帯電話機が存在している状態に関する少なくとも１つの状態情報に応じた情報を含む前記第２種所在画像が、前記画像提示手段から提示されるように制御することを特徴としてもよい。
【００２１】
また、前記人体近傍通信判断手段は、前記携帯電話機に着信があったことを示す着信情報を前記携帯電話機から受信した場合、前記携帯電話機との間で前記第２人体近傍通信手段を介した前記人体近傍通信が実行できるかについて判断することを特徴としてもよい。
【００２２】
これらヘッドマウントディスプレイによれば、上記の通信システムを実現することが可能となり、通信システムにおいて、上述した優れた機能を発揮することができる。
【発明の効果】
【００２３】
本発明によれば、携帯電話機の所在を好適にユーザに報知することができる、新たな携帯電話機とヘッドマントディスプレイとが通信可能に接続された通信システム、およびこの通信システムに含まれるヘッドマントディスプレイを得ることができる。
【図面の簡単な説明】
【００２４】
【図１】通信システムを示す図である。
【図２】ヘッドマウントディスプレイを示す図である。
【図３】携帯電話機で実行される処理のフローチャートを示す図である。
【図４】ヘッドマウントディスプレイで実行される処理のフローチャートを示す図である。
【図５】（ａ）は携帯電話機とユーザとの位置関係を示し、（ｂ）は図５（ａ）に示す位置関係にある場合にヘッドマウントディスプレイで提示される第１種所在画像を示す図である。
【図６】ヘッドマウントディスプレイで実行される処理のフローチャートを示す図である。
【図７】（ａ）は携帯電話機とユーザとの位置関係を示し、（ｂ）は図７（ａ）に示す位置関係にある場合にヘッドマウントディスプレイで提示される第２種所在画像を示す図である。
【図８】（ａ）は携帯電話機とユーザとの位置関係を示し、（ｂ）は図８（ａ）に示す位置関係にある場合にヘッドマウントディスプレイで提示される第２種所在画像を示す図である。
【図９】（ａ）は携帯電話機とユーザとの位置関係を示し、（ｂ）は図９（ａ）に示す位置関係にある場合にヘッドマウントディスプレイで提示される第２種所在画像を示す図である。
【図１０】（ａ）は携帯電話機とユーザとの位置関係を示し、（ｂ）は図１０（ａ）に示す位置関係にある場合にヘッドマウントディスプレイで提示される第２種所在画像を示す図である。
【発明を実施するための形態】
【００２５】
本発明を実施するための実施形態について、図面を用いて以下に詳細に説明する。本発明は、以下に記載の構成に限定されるものではなく、同一の技術的思想において種々の構成を採用することができる。例えば、以下に示す構成の一部は、省略しまたは他の構成などに置換してもよい。また、他の構成を含むようにしてもよい。
【００２６】
（通信システム）
通信システム１００は、図１に示すように、携帯電話機２００とヘッドマウントディスプレイ（以下、「ＨＭＤ」ともいう。）３００とを含む。携帯電話機２００は、携帯電話通信網４００を介した通信を実行することができる。ＨＭＤ３００は、図２に示すようにユーザの頭部に装着され、このユーザに所定の画像を提示する。ユーザは提示された所定の画像を視認する。通信システム１００では、携帯電話機２００とＨＭＤ３００とは、後述する所定の手法によって通信可能に接続されている。具体的に、通信システム１００では、携帯電話機２００に着信があった場合、携帯電話機２００の所在についての第１種所在画像５００または第２種所在画像５１０，５２０，５３０，５４０がＨＭＤ３００で提示される。ＨＭＤ３００を装着し利用しているユーザは、提示される第１種所在画像５００または第２種所在画像５１０，５２０，５３０，５４０によって、携帯電話機２００が存在する場所の概略を知ることができる。第１種所在画像５００および第２種所在画像５１０，５２０，５３０，５４０の詳細については後述する。
【００２７】
携帯電話機２００は、図１に示すように、ＣＰＵ２１０とＲＯＭ２１２とＲＡＭ２１４と携帯通信部２２０と人体近傍通信部２３０とローカル無線通信部２４０と光センサ２５０と加速度センサ２６０と操作部２７０とを備える。ＣＰＵ２１０は、携帯電話機２００で実行される各種処理を制御する。ＣＰＵ２１０は、ＲＡＭ２１４上でＲＯＭ２１２に記憶された各種のプログラムを実行する。これによって、各種の機能が実行され、各種の機能手段が構成される。
【００２８】
携帯通信部２２０は、携帯電話通信網４００との間の通信を実行する。人体近傍通信部２３０は、携帯電話機２００を例えば身につけているユーザの体表面近傍を介した人体近傍通信を実行する。ローカル無線通信部２４０は、人体近傍通信と比較し通信距離の長い無線通信を実行する。人体近傍通信と比較し通信距離の長い無線通信としては、通信距離が数メートル〜数十メートルまたは数十メートル〜数百メートル程度までの近距離無線通信が該当する。具体的にはＢｌｕｅｔｏｏｔｈ（登録商標）または無線ＬＡＮなどが例示される。
【００２９】
光センサ２５０は、携帯電話機２００が存在している場所の明るさを検出する。加速度センサ２６０は、携帯電話機２００に加わる振動、携帯電話機２００の姿勢状態の変化によって、携帯電話機に作用する加速度を検出する。なお、携帯電話機２００が移動などしその位置が変化することで、携帯電話機２００には振動が加わり、また携帯電話機２００の姿勢状態が変化する。操作部２７０は、例えばダイヤルキーなどによって構成される。ユーザは、操作部２７０を操作し、携帯電話機２００に対する各種処理の実行を指令することができる。
【００３０】
ＨＭＤ３００は、図１に示すように、ＣＰＵ３１０とＲＯＭ３１２とＲＡＭ３１４と画像処理部３２０と画像提示部３３０と人体近傍通信部３４０とローカル無線通信部３５０と光センサ３６０とを備える。ＣＰＵ３１０は、ＨＭＤ３００で実行される各種処理を制御する。ＣＰＵ３１０は、ＲＡＭ３１４上でＲＯＭ３１２に記憶された各種のプログラムを実行する。これによって、各種の機能が実行され、各種の機能手段が構成される。
【００３１】
画像処理部３２０には、グラフィックス・プロセッシング・ユニット（以下、「ＧＰＵ」ともいう。）３２２とＶＲＡＭ（Video RAM）３２４とが搭載されている。画像処理部３２０は、ＣＰＵ３１０からの指令に基づき画像提示部３３０から提示される所定の画像、例えば後述する第１種所在画像５００または第２種所在画像５１０，５２０，５３０，５４０を生成する。具体的に、ＧＰＵ３２２は、画像提示部３３０から提示される第１種所在画像５００または第２種所在画像５１０，５２０，５３０，５４０などの所定の画像を示す所定のデータを対象として再生処理を実行し、この所定の画像を生成する。生成された所定の画像はＶＲＡＭ３２４に記憶される。なお、第１種所在画像５００または第２種所在画像５１０，５２０，５３０，５４０などの所定の画像を示す所定のデータは、例えば、ＲＯＭ３１２または図１には図示されていない記憶領域などに記憶されている。
【００３２】
画像提示部３３０は、ＶＲＡＭ３２４に記憶されている第１種所在画像５００または第２種所在画像５１０，５２０，５３０，５４０などの所定の画像を、ＨＭＤ３００を装着しているユーザが視認可能に提示する。画像提示部３３０は、ＶＲＡＭ３２４に記憶されている第１種所在画像５００または第２種所在画像５１０，５２０，５３０，５４０などの所定の画像を表す画像光を２次元方向に走査し、その走査された画像光を、ユーザの眼に導き網膜上に所定の画像を形成する網膜走査型のディスプレイを用いて構成することができる。また、この他、液晶ディスプレイ、有機ＥＬ（Organic Electroluminescence）ディスプレイその他の装置を用いた構成とすることもできる。
【００３３】
なお、通信システム１００においてＨＭＤ３００は、シースルー型のＨＭＤとしてもよい。シースルー型のＨＭＤ３００とした場合、画像提示部３３０はこれに対応した構成、例えば画像光が導かれるユーザの眼の前方にハーフミラーを有する。シースルー型のＨＭＤ３００によれば、ユーザはＨＭＤ３００を装着し、第１種所在画像５００または第２種所在画像５１０，５２０，５３０，５４０を視認している状態でも、外界像を視認することができる。
【００３４】
人体近傍通信部３４０とローカル無線通信部３５０と光センサ３６０とは、それぞれ携帯電話機２００が備える人体近傍通信部２３０とローカル無線通信部２４０と光センサ２５０と同一の機能を実行する構成である。したがって、これらの詳細については、上述したとおりであり省略する。なお、ＨＭＤ３００において光センサ３６０は、例えば図２に示すように、ＣＰＵ３１０など上記の各構成が収納された筐体の上面に設置される。操作部３７０は、例えば所定のキーなどによって構成される。ユーザは、操作部３７０を操作し、ＨＭＤ３００に対する各種処理の実行を指令することができる。
【００３５】
なお、以下の説明では、人体近傍通信と比較し通信距離の長い無線通信であって、ローカル無線通信部２４０とローカル無線通信部３５０との間で実行される無線通信を、近距離無線通信ともいう。
【００３６】
（携帯電話機で実行される処理）
通信システム１００において、携帯電話機２００では図３に示す処理が実行される。この処理は、ＣＰＵ２１０がＲＡＭ２１４上で、ＲＯＭ２１２に記憶されたこの処理のためのプログラムを実行することで行われる。また、この処理は、例えば携帯電話機２００の電源がオンされた場合またはこの処理の開始の指令が操作部２７０を介して携帯電話機２００に入力された場合に行われる。この処理を開始したＣＰＵ２１０は、ローカル無線通信部２４０を介してＨＭＤ３００、具体的にはローカル無線通信部３５０との間で近距離無線通信を確立する（Ｓ１００）。
【００３７】
Ｓ１００を実行した後、ＣＰＵ２１０は、携帯電話機２００に着信があったか、換言すれば、携帯通信部２２０が携帯電話通信網４００から着信信号を受信したかについて判断する（Ｓ１０２）。判断の結果、着信信号が受信されていない場合（Ｓ１０２：Ｎｏ）、ＣＰＵ２１０は、着信信号が受信されるまで待機する。一方、着信信号が受信された場合（Ｓ１０２：Ｙｅｓ）、ＣＰＵ２１０は、光センサ２５０および加速度センサ２６０によって検出される状態を取得する（Ｓ１０４）。具体的に、光センサ２５０によって検出される明るさと、加速度センサ２６０によって検出される加速度とが取得される。
【００３８】
Ｓ１０６でＣＰＵ２１０は、着信があったことを示す着信情報と、光センサ２５０および加速度センサ２６０によって検出された状態に関する状態情報とをＨＭＤ３００に通知する。ここで、着信情報には、着信があったことを示す情報の他、相手先番号および相手先名などが含まれる。状態情報には、光センサ２５０によって検出された明るさと、加速度センサ２６０によって検出された加速度とが含まれる。また、Ｓ１０６における通知は、Ｓ１００において確立された、ローカル無線通信部２４０を介した近距離無線通信によって行われる。
【００３９】
Ｓ１０６を実行した後、ＣＰＵ２１０は、ＨＭＤ３００から人体近傍通信に関する要求を受信したかについて判断する（Ｓ１０８）。なお、人体近傍通信に関する要求は、後述する図４に示す処理のＳ２０３で送信される。判断の結果、人体近傍通信に関する要求が受信されていない場合（Ｓ１０８：Ｎｏ）、ＣＰＵ２１０は処理をＳ１１２に移行する。一方、人体近傍通信に関する要求が受信された場合（Ｓ１０８：Ｙｅｓ）、ＣＰＵ２１０は、人体近傍通信部２３０を制御し、ＨＭＤ３００からの要求に応答する（Ｓ１１０）。そして、ＣＰＵ２１０は処理をＳ１１２に移行する。これによって、携帯電話機２００との間で人体近傍通信が確立される。Ｓ１１２でＣＰＵ２１０は、携帯電話通信網４００との間の通信が開始されたか、換言すれば、ユーザが着信に応答し通話が開始されたかについて判断する。
【００４０】
Ｓ１１２の判断の結果、通話が開始された場合（Ｓ１１２：Ｙｅｓ）、ＣＰＵ２１０は処理をＳ１０２に戻す。この際、ＣＰＵ２１０は、通話の開始を示す情報をＨＭＤ３００に通知する。この通知は、ローカル無線通信部２４０を介した近距離無線通信または人体近傍通信部２３０を介した人体近傍通信のいずれで行ってもよい。例えば、Ｓ１０８の判断が否定されていた場合（Ｓ１０８：Ｎｏ）には、ローカル無線通信部２４０を介した近距離無線通信によって行われるようにするとよい。Ｓ１０８の判断が肯定されていた場合（Ｓ１０８：Ｙｅｓ）には、人体近傍通信部２３０を介した人体近傍通信によって行われるようにするとよい。一方、通話が開始されていない場合（Ｓ１１２：Ｎｏ）、ＣＰＵ２１０は、処理をＳ１０４に戻す。処理をＳ１０４に戻したＣＰＵ２１０は、再度、Ｓ１０４〜Ｓ１１０の処理を繰り返して実行する。このとき、例えば、再度、着信情報と状態情報とがＨＭＤ３００に通知される（Ｓ１０６）。なお、この処理は、携帯電話機２００の電源がオフされるまで、またはこの処理の停止の指令が操作部２７０を介して携帯電話機２００に入力されるまで繰り返し実行される。
【００４１】
（ＨＭＤで実行される処理）
通信システム１００において、ＨＭＤ３００では図４および図６に示す処理が実行される。この処理は、ＣＰＵ３１０がＲＡＭ３１４上で、ＲＯＭ３１２に記憶されたこの処理のためのプログラムを実行することで行われる。また、この処理は、例えばＨＭＤ３００の電源がオンされた場合またはこの処理の開始の指令が操作部３７０を介してＨＭＤ３００に入力された場合に行われる。この処理を開始したＣＰＵ３１０は、ローカル無線通信部３５０を介して携帯電話機２００、具体的にはローカル無線通信部２４０との間で近距離無線通信を確立する（Ｓ２００）。
【００４２】
なお、近距離無線通信の確立は、携帯電話機２００からＨＭＤ３００への要求に応じて確立する構成、または、ＨＭＤ３００から携帯電話機２００への要求に応じて確立する構成のいずれとすることもできる。例えば、ＨＭＤ３００から要求する場合、ＣＰＵ３１０は、Ｓ２００においてこの要求をローカル無線通信部３５０を介して携帯電話機２００に送信する。
【００４３】
Ｓ２００によって携帯電話機２００との近距離無線通信が確立された後、ＣＰＵ３１０は、携帯電話機２００から着信情報と状態情報とを受信したかについて判断する（Ｓ２０２）。着信情報および状態情報は、上述した図３に示す処理のＳ１０６で通知されるものであり、ＨＭＤ３００ではローカル無線通信部３５０を介して受信される。
【００４４】
Ｓ２０２の判断の結果、着信情報および状態情報が受信されていない場合（Ｓ２０２：Ｎｏ）、ＣＰＵ３１０は、これらが受信されるまで待機する。一方、着信情報および状態情報が受信された場合（Ｓ２０２：Ｙｅｓ）、ＣＰＵ３１０は、人体近傍通信部３４０を制御し、携帯電話機２００に人体近傍通信に関する要求を送信する（Ｓ２０３）。そして、ＣＰＵ３１０は、画像処理部３２０および画像提示部３３０を制御し、携帯電話機２００が現在着信中であることを示す着信中画像を提示する（Ｓ２０４）。ユーザは、着信中画像を視認することで、着信中であることを知ることができる。
【００４５】
また、ＣＰＵ３１０は、人体近傍通信部３４０を制御し、人体近傍通信部３４０を介した携帯電話機２００との通信、具体的には人体近傍通信部２３０との間で人体近傍通信が可能であるかについて判断する（Ｓ２０６）。Ｓ２０６でＣＰＵ３１０は、携帯電話機２００が図３に示す処理のＳ１１０で実行した人体近傍通信での応答が、人体近傍通信部３４０によって受信されているか否かにしたがい判断を行う。
例えば、図５（ａ）に示すようにユーザが携帯電話機２００を身につけているような場合、ユーザの体表面近傍を介した通信が可能となり、Ｓ２０６では人体近傍通信が可能であると判断される。一方、図７（ａ），図８（ａ），図９（ａ）および図１０（ａ）に示すように、携帯電話機２００がユーザの体表面に近接した位置にない、例えばユーザから離れた範囲にある場合、ユーザの体表面近傍を介した通信が行えず、Ｓ２０６では人体近傍通信が実行できないと判断される。
【００４６】
Ｓ２０６の判断の結果、人体近傍通信が可能である場合（Ｓ２０６：Ｙｅｓ）、ＣＰＵ３１０は、画像処理部３２０および画像提示部３３０を制御し、携帯電話機２００がＨＭＤ３００のユーザの体表面に近接した位置にある、換言すれば、ユーザが携帯電話機２００を身につけていることを示す第１種所在画像５００を提示する（Ｓ２０７）。第１種所在画像５００は、例えば図５（ｂ）に示すような所在画像である。ユーザは、図５（ｂ）に示すような第１種所在画像５００を視認することで、着信中の携帯電話機２００がユーザの体表面に近接した位置にあることを知ることができる。Ｓ２０７では、第１種所在画像５００に加え、携帯電話機２００が着信中であることを示す「ＣＡＬＬ」の文字（文字画像）が合わせて提示される。したがって、Ｓ２０７では、Ｓ２０４で提示された着信中画像に代えて、図５（ｂ）に示すような第１種所在画像５００を含む画像が提示される。なお、「ＣＡＬＬ」の他、Ｓ２００を実行した後に受信した着信情報に含まれる相手先番号および相手先名なども提示されるようにしてもよい。
【００４７】
Ｓ２０７では、「ＣＡＬＬ」を含ませず、第１種所在画像５００とＳ２０４で提示された着信中画像とが、所定のタイミングで順次切り替えられながら提示されるような構成としてもよい。このような構成によっても、着信中であることと、携帯電話機２００が存在している場所とをユーザに報知することができる。つづけて、ＣＰＵ３１０は、携帯電話機２００で通話が開始されたかについて判断する（Ｓ２０８）。Ｓ２０８でＣＰＵ３１０は、図３のＳ１１２の判断が肯定された場合（Ｓ１１２：Ｙｅｓ）に携帯電話機２００から通知される通話の開始を示す情報を、受信しているか否かにしたがい判断を行う。通話の開始を示す情報の受信は、ローカル無線通信部３５０を介した近距離無線通信または人体近傍通信部３４０を介した人体近傍通信のいずれかで行われる。例えば、Ｓ２０６の判断が否定されていた場合（Ｓ２０６：Ｎｏ）において、後述する図６に示す処理のＳ２１６，Ｓ２１８，Ｓ２２２，Ｓ２２４が実行され、処理がＳ２０８に戻っているようなときには、ローカル無線通信部３５０を介した近距離無線通信によって行われるようにするとよい。Ｓ２０６の判断が肯定されていた場合（Ｓ２０６：Ｙｅｓ）には、人体近傍通信部３４０を介した人体近傍通信によって行われるようにするとよい。この点は、上述した図３に示す処理のＳ１１２の判断が肯定され（Ｓ１１２：Ｙｅｓ）、通話が開始された場合と同様である。
【００４８】
判断の結果、通話の開始を示す情報を受信していない場合（Ｓ２０８：Ｎｏ）、ＣＰＵ３１０は、処理をＳ２０２に戻す。処理をＳ２０２に戻したＣＰＵ３１０は、再度、Ｓ２０２〜Ｓ２０７の処理を繰り返して実行する。このとき、図３に示す処理のＳ１１２の判断が否定されていた場合（Ｓ１１２：Ｎｏ）には、Ｓ１０６で、再度、着信情報と状態情報とが通知されるため、ＣＰＵ３１０は、Ｓ２０２でこれらが再度受信されたかについて判断する。一方、通話の開始を示す情報を受信した場合（Ｓ２０８：Ｙｅｓ）、ＣＰＵ３１０は、Ｓ２０７で提示した第１種所在画像５００または後述する図６のＳ２１６，Ｓ２１８，Ｓ２２２，Ｓ２２４で提示される第２種所在画像５１０，５２０，５３０，５４０の提示を停止する。この際、ＣＰＵ３１０は、「ＣＡＬＬ」の文字についても提示を停止する。Ｓ２０９を実行した後、ＣＰＵ３１０は、処理をＳ２０２に戻す。
【００４９】
なお、ユーザが、操作部３７０を操作して、第１種所在画像５００または第２種所在画像５１０，５２０，５３０，５４０を含む画像の提示の停止の指令を入力した場合、ＣＰＵ３１０は、処理をＳ２０２に戻すようにしてもよい。第１種所在画像５００または第２種所在画像５１０，５２０，５３０，５４０を含む画像の提示によって携帯電話機２００を発見した場合、第１種所在画像５００または第２種所在画像５１０，５２０，５３０，５４０の提示は特に意味を持たない。このような場合、第１種所在画像５００または第２種所在画像５１０，５２０，５３０，５４０の提示を、ユーザの意図で停止できる構成は好適である。
【００５０】
Ｓ２０６の判断の結果、人体近傍通信が実行できない場合（Ｓ２０６：Ｎｏ）、ＣＰＵ３１０は、処理を図６に示すＳ２１０に移行する。Ｓ２１０でＣＰＵ３１０は、ローカル無線通信部３５０を制御し、Ｓ２００で確立された近距離無線通信における電波強度を確認する。そして、ＣＰＵ３１０は、Ｓ２１０で確認した電波強度から、携帯電話機２００との距離を決定する（Ｓ２１１）。ＨＭＤ３００では、例えば、電波強度と距離との関係を登録したテーブルがＲＯＭ３１２に記憶されている。Ｓ２１１でＣＰＵ３１０は、このテーブルにしたがい電波強度に応じた距離を決定する。つづけて、ＣＰＵ３１０は、携帯電話機２００が静止しているかについて判断する（Ｓ２１２）。Ｓ２１２でＣＰＵ３１０は、Ｓ２０２で受信したと判断された状態情報に含まれる加速度にしたがって、携帯電話機２００が静止しているかについて判断する。加速度が所定の値のまま変化しない場合、具体的には加速度センサ２６０が受ける加速度が重力加速度のみの場合、加速度の変化量が０であり、ＣＰＵ３１０は、携帯電話機２００は静止していると判断する。一方、加速度の変化量が０より大きな値である場合、ＣＰＵ３１０は、携帯電話機２００は静止していない、換言すれば、携帯電話機２００は変位していると判断する。
【００５１】
Ｓ２１２の判断の結果、静止している場合（Ｓ２１２：Ｙｅｓ）、ＣＰＵ３１０は、光センサ３６０によって検出される明るさと、状態情報に含まれる明るさとを比較し、両明るさが同等の明るさであるかについて判断する（Ｓ２１４）。判断の結果、同等の明るさである場合（Ｓ２１４：Ｙｅｓ）、ＣＰＵ３１０は、画像処理部３２０および画像提示部３３０を制御し、第１状態であることを示す第２種所在画像５１０を提示する（Ｓ２１６）。ここで、第２種所在画像５１０（後述する第２種所在画像５２０，５３０，５４０についても同じ）は、携帯電話機２００がＨＭＤ３００のユーザの体表面に近接した位置にないことを示す所在画像である。第１状態とは、携帯電話機２００がＨＭＤ３００のユーザからＳ２１１で決定された電波強度に応じた距離に相当する範囲内（Ｓ２１０で確認された電波強度に応じた範囲内）で、かつユーザが存在している場所と同等の明るさの場所において静止している状態である。
【００５２】
Ｓ２１６で提示される第２種所在画像５１０は、例えば図７（ｂ）に示すような所在画像である。ユーザは、図７（ｂ）に示すような第１状態であることを示す第２種所在画像５１０を視認することで、着信中の携帯電話機２００が、ユーザから２ｍ程度離れた例えばテーブルの上またはテーブルのように静止したものの上などで、ユーザが存在している場所と同等の明るさの場所にあることを知ることができる。図７（ｂ）において「２ｍ」は、Ｓ２１１で決定された電波強度に応じた距離に相当するものである。Ｓ２１６では、第１状態であることを示す第２種所在画像５１０に加え、携帯電話機２００が着信中であることを示す「ＣＡＬＬ」の文字（文字画像）が合わせて提示される。したがって、Ｓ２１６では、Ｓ２０４で提示された着信中画像に代えて、図７（ｂ）に示すような第２種所在画像５１０を含む画像が提示される。
【００５３】
Ｓ２１４の判断の結果、同等の明るさでない場合（Ｓ２１４：Ｎｏ）、ＣＰＵ３１０は、画像処理部３２０および画像提示部３３０を制御し、第２状態であることを示す第２種所在画像５２０を提示する（Ｓ２１８）。ここで、第２状態とは、携帯電話機２００がＨＭＤ３００のユーザからＳ２１１で決定された電波強度に応じた距離に相当する範囲内で、かつユーザが存在している場所より暗いまたは明るい場所において静止している状態である。例えば、Ｓ２１４の比較の結果が、ユーザが存在している場所より暗い場合にＳ２１８で提示される第２種所在画像５２０は、例えば図８（ｂ）に示すような所在画像である。ユーザは、図８（ｂ）に示すような第２状態であることを示す第２種所在画像５２０を視認することで、着信中の携帯電話機２００が、ユーザから２ｍ程度離れた例えば机の引出しの中または引出しのように静止したものの中など暗い場所にあることを知ることができる。Ｓ２１８では、第２状態であることを示す第２種所在画像５２０に加え、携帯電話機２００が着信中であることを示す「ＣＡＬＬ」の文字（文字画像）が合わせて提示される。したがって、Ｓ２１８では、Ｓ２０４で提示された着信中画像に代えて、図８（ｂ）に示すような第２種所在画像５２０を含む画像が提示される。
【００５４】
Ｓ２１２の判断の結果、静止していない場合（Ｓ２１２：Ｎｏ）、ＣＰＵ３１０は処理をＳ２２０に移行する。ここで、Ｓ２２０の処理は上述したＳ２１４と同一の処理であり、その詳細は省略する。Ｓ２２０の判断の結果、同等の明るさである場合（Ｓ２２０：Ｙｅｓ）、ＣＰＵ３１０は、画像処理部３２０および画像提示部３３０を制御し、第３状態であることを示す第２種所在画像５３０を提示する（Ｓ２２２）。ここで、第３状態とは、携帯電話機２００がＨＭＤ３００のユーザからＳ２１１で決定された電波強度に応じた距離に相当する範囲内で、かつユーザが存在している場所と同等の明るさの場所を移動している（運ばれている）状態である。
【００５５】
Ｓ２２２で提示される第２種所在画像５３０は、例えば図９（ｂ）に示すような所在画像である。ユーザは、図９（ｂ）に示すような第３状態であることを示す第２種所在画像５３０を視認することで、着信中の携帯電話機２００が、ユーザが存在している場所と同等の明るさの場所を、ユーザから１ｍ程度離れて移動していることを知ることができる。Ｓ２２２では、第３状態であることを示す第２種所在画像５３０に加え、携帯電話機２００が着信中であることを示す「ＣＡＬＬ」の文字（文字画像）が合わせて提示される。したがって、Ｓ２２２では、Ｓ２０４で提示された着信中画像に代えて、図９（ｂ）に示すような第２種所在画像５３０を含む画像が提示される。
【００５６】
Ｓ２２０の判断の結果、同等の明るさでない場合（Ｓ２２０：Ｎｏ）、ＣＰＵ３１０は、画像処理部３２０および画像提示部３３０を制御し、第４状態であることを示す第２種所在画像５４０を提示する（Ｓ２２４）。ここで、第４状態とは、携帯電話機２００がＨＭＤ３００のユーザからＳ２１１で決定された電波強度に応じた距離に相当する範囲内で、かつユーザが存在している場所より暗いまたは明るい場所を移動している（運ばれている）状態である。例えば、Ｓ２２０の比較の結果が、ユーザが存在している場所より暗い場合にＳ２２４で提示される第２種所在画像５４０は、例えば図１０（ｂ）に示すような所在画像である。ユーザは、図１０（ｂ）に示すような第４状態であることを示す第２種所在画像５４０を視認することで、着信中の携帯電話機２００が、ユーザから１ｍ程度離れ、ユーザが持っている例えばカバンの中またはカバンのように持ち運び可能なものの中など暗い場所にあることを知ることができる。なお、Ｓ２２４では、第４状態であることを示す第２種所在画像５４０に加え、携帯電話機２００が着信中であることを示す「ＣＡＬＬ」の文字（文字画像）が合わせて提示される。したがって、Ｓ２２４では、Ｓ２０４で提示された着信中画像に代えて、図１０（ｂ）に示すような第２種所在画像５４０を含む画像が提示される。
【００５７】
ＣＰＵ３１０は、Ｓ２１６，Ｓ２１８，Ｓ２２２，Ｓ２２４において、例えば所定の期間、図７（ｂ）、図８（ｂ）、図９（ｂ）または図１０（ｂ）に示す第２種所在画像５１０，５２０，５３０，５４０を含む画像が提示された後、処理を図４のＳ２０８に戻す。
【００５８】
なお、図８（ｂ）における「２ｍ」と、図９（ｂ）および図１０（ｂ）における「１ｍ」とは、図７（ｂ）の場合と同じくＳ２１１で決定された電波強度に応じた距離に相当するものである。また、Ｓ２０７の第１種所在画像５００の場合と同じくＳ２１６，Ｓ２１８，Ｓ２２２，Ｓ２２４においても、第２種所在画像５１０，５２０，５３０，５４０とＳ２０４で提示された着信中画像とが、所定のタイミングで順次切り替えられながら提示されるような構成としてもよい。さらに、「ＣＡＬＬ」の他、Ｓ２００を実行した後に受信した着信情報に含まれる相手先番号および相手先名なども提示されるようにしてもよい。
【００５９】
（変形例）
本実施形態の構成は次のようにすることもできる。例えば、上記では携帯電話機２００が光センサ２５０と加速度センサ２６０とを備え、ＨＭＤ３００が光センサ３６０を備える構成を例に説明した。しかし、携帯電話機２００の光センサ２５０および加速度センサ２６０を省略し、かつＨＭＤ３００の光センサ３６０を省略した構成としてもよい。この場合、図３に示す携帯電話機２００で実行される処理のＳ１０６では、状態情報の通知が省略される。また、図４に示すＨＭＤ３００で実行される処理のＳ２０２では、着信情報の受信について判断される。また、図６に示すＳ２１２，Ｓ２１４，Ｓ２２０の各処理が省略され、Ｓ２１１が実行された後、携帯電話機２００がＨＭＤ３００のユーザからＳ２１１で決定された電波強度に応じた距離に相当する範囲内にあることを示す第２種所在画像が提示される。
【００６０】
この他、携帯電話機２００およびＨＭＤ３００において、光センサ２５０，３６０を省略した構成としてもよい。この場合、図３に示すＳ１０６では、加速度センサ２６０によって検出された状態を含む状態情報が通知され、図４に示すＳ２０２ではこの状態情報の受信について判断される。また、図６に示すＳ２１４，Ｓ２２０の各処理が省略され、Ｓ２１２の判断結果に応じた第２種所在画像がそれぞれ提示される。具体的には、Ｓ２１２の判断が肯定された場合（Ｓ２１２：Ｙｅｓ）、携帯電話機２００がＨＭＤ３００のユーザからＳ２１１で決定された電波強度に応じた距離に相当する範囲内で、かつ静止した状態であることを示す第２種所在画像が提示される。一方、Ｓ２１２の判断が否定された場合（Ｓ２１２：Ｎｏ）、携帯電話機２００がＨＭＤ３００のユーザからＳ２１１で決定された電波強度に応じた距離に相当する範囲内で、かつ移動している（運ばれている）ことを示す第２種所在画像が提示される。
【００６１】
さらに、携帯電話機２００において加速度センサ２６０を省略した構成としてもよい。この場合、図３に示すＳ１０６では、光センサ２５０によって検出された状態を含む状態情報が通知され、図４に示すＳ２０２ではこの状態情報の受信について判断される。また、図６に示すＳ２１２の処理が省略され、Ｓ２１１を実行した後、Ｓ２１４（またはＳ２２０）と同一の判断がなされる。そして、この判断結果に応じた第２種所在画像がそれぞれ提示される。具体的には、Ｓ２１４の判断が肯定された場合（Ｓ２１４：Ｙｅｓ）、携帯電話機２００がＨＭＤ３００のユーザからＳ２１１で決定された電波強度に応じた距離に相当する範囲内で、かつユーザが存在している場所と同等の明るさの場所にあることを示す第２種所在画像が提示される。一方、Ｓ２１４の判断が否定された場合（Ｓ２１４：Ｎｏ）、携帯電話機２００がＨＭＤ３００のユーザからＳ２１１で決定された電波強度に応じた距離に相当する範囲内で、かつユーザが存在している場所より暗いまたは明るい場所にあることを示す第２種所在画像が提示される。
【符号の説明】
【００６２】
１００  通信システム
２００  携帯電話機
２１０，３１０  ＣＰＵ
２１２，３１２  ＲＯＭ
２１４，３１４  ＲＡＭ
２２０  携帯通信部
２３０，３４０  人体近傍通信部
３００  ＨＭＤ
３２０  画像処理部
３３０  画像提示部
４００  携帯電話通信網
５００  第１種所在画像
【図１】
2011166631.tif 000003
【図２】
2011166631.tif 000004
【図３】
2011166631.tif 000005
【図４】
2011166631.tif 000006
【図５】
2011166631.tif 000007
【図６】
2011166631.tif 000008
【図７】
2011166631.tif 000009
【図８】
2011166631.tif 000010
【図９】
2011166631.tif 000011
【図１０】
2011166631.tif 000012